(57)【要約】      （修正有）【課題】インターネット接続が難しい環境でも、使用者に広告を露出させることのできる広告方法及びシステムを提供する。【解決手段】外部メモリ装置を用いた広告方法及びシステムに関し、使用者に広告及び販促手段として配布される外部メモリ装置に、基本広告データと広告サーバーの接続情報と固有番号とを格納する。外部メモリ装置をインターネット連結できない使用者端末に接続させる場合は、基本広告データが表示され、インターネット連結ができない場合でも、使用者に常に広告を表示できる。また、外部メモリ装置をインターネット連結ができる使用者端末に接続させると、外部メモリ装置に格納された広告サーバーの接続情報を用いて、使用者端末が広告サーバーに接続して広告サーバーに固有番号を転送し、広告サーバーは、固有番号と連係して格納された使用者の情報を照会して、使用者をターゲットとして設定した広告データを使用者端末に転送し表示する。【選択図】図４ａ
2009193565.tif 000002
【特許請求の範囲】
【請求項１】
基本広告データを格納した外部メモリ装置と;
前記外部メモリ装置が接続されると、前記広告データを読み出して使用者に出力する使用者端末と、
を含むことを特徴とする広告システム。
【請求項２】
広告データを格納する広告サーバーを更に含み、
前記外部メモリ装置は、前記広告サーバーの接続情報を更に格納し、
前記使用者端末は、前記外部メモリ装置が接続すれると、前記接続情報を前記外部メモリ装置から読み出して前記広告サーバーに接続して、前記広告サーバーから広告データを受け取り、使用者に表示することを特徴とする請求項１に記載の広告システム。
【請求項３】
前記外部メモリ装置は、固有番号を更に格納し、
前記広告サーバーは、前記固有番号と連係して、前記固有番号に対応する外部メモリ装置を使用する使用者の使用者情報を格納することを特徴とする請求項２に記載の広告システム。
【請求項４】
前記使用者端末は、前記外部メモリ装置が接続されると、前記固有番号を読み出して前記広告サーバーに転送し、
前記広告サーバーは、広告データを表示する使用者を規定したターゲット情報を広告主端末から受け取って前記広告データと連係させて格納し、前記固有番号を受け取ると、前記固有番号に連係して格納された使用者情報を読み出し、使用者を広告データを表示すへき対象使用者と規定したターゲット情報と連係して格納された広告データを前記使用者端末に転送して使用者に表示することを特徴とする請求項３に記載の広告システム。
【請求項５】
前記広告サーバーは、使用者端末に転送される広告データに対する統計情報を生成して、広告主端末に提供することを特徴とする請求項２に記載の広告システム。
【請求項６】
前記使用者端末は、前記外部メモリ装置が接続されると、前記広告サーバーの接続情報を用いて、前記広告サーバーに接続可能なのかどうかを調べ、前記広告サーバーに接続できない場合に、前記基本広告データを使用者に表示することを特徴とする請求項２に記載の広告システム。
【請求項７】
使用者端末が接続すべき広告サーバーの接続情報を格納するサーバー情報格納部と;
前記広告サーバーに使用者情報と連係して格納された固有番号を格納する固有番号格納部と;
使用者端末に接続されると、前記使用者端末が、前記接続情報を用いて前記広告サーバーに接続できるように、前記接続情報を前記使用者端末に出力し、前記広告サーバーが、前記固有番号と連係して格納された使用者情報を識別して、使用者を広告対象として設定した広告データを前記使用者端末に転送できるように、前記固有番号を前記使用者端末に転送するメモリ制御部と;
前記使用者端末に設けられ、前記使用者端末が、前記接続情報に応じて前記広告サーバーに接続して、前記固有番号を前記広告サーバーに転送し、前記固有番号に連係して格納された使用者情報に応じて前記使用者を広告対象として設定した広告データを受け取り、使用者に表示するようにするプログラムを格納したプログラム格納部と、
を含むことを特徴とする外部メモリ装置。
【請求項８】
基本広告データを格納する広告データ格納部を更に含み、
前記メモリ制御部は、前記使用者端末が、前記接続情報に応じて前記広告サーバーに接続できない場合に、前記基本広告データを出力できるように、前記基本広告データを前記使用者端末に転送することを特徴とする請求項７に記載の外部メモリ装置。
【請求項９】
外部メモリ装置の固有番号と前記外部メモリ装置の使用者の使用者情報とを互いに連係して格納した使用者情報ＤＢと;
広告データと前記広告データを表示すべき広告対象使用者を規定したターゲット情報とを互いに連係させて格納した広告ＤＢと;
前記外部メモリ装置が前記使用者端末に接続されると、前記使用者端末から前記外部メモリ装置の固有番号を受け取って前記外部メモリ装置の使用者情報を読み出し、前記広告データのうち、前記使用者を広告データを表示すべき広告対象使用者として設定した広告データを前記使用者端末に転送して表示する広告サーバー制御部と、
を含むことを特徴とする広告サーバー。
【請求項１０】
前記広告データに対する統計情報を生成して、前記広告ＤＢに格納する統計情報生成部を更に含むことを特徴とする請求項９に記載の広告サーバー。
【請求項１１】
(a)外部メモリ装置が接続されると、使用者端末が、前記外部メモリ装置から広告サーバーの接続情報を受け取る段階と;
(b)前記使用者端末が、前記接続情報を用いて前記広告サーバーに接続する段階と;
(c)前記広告サーバーが、広告データを前記使用者端末に転送する段階と;
(d)前記使用者端末が、広告データを使用者に表示する段階と、を含むことを特徴とする広告方法。
【請求項１２】
前記(a)段階において、前記使用者端末は、前記外部メモリ装置の固有番号を前記接続情報と一緒に受け取り;
前記(b)段階において、前記使用者端末は、前記広告サーバーに接続して、前記固有番号を前記広告サーバーに転送し;
前記(c)段階において、前記広告サーバーは、前記固有番号と連係して格納された前記外部メモリ装置の使用者情報を読み出し、前記使用者を広告対象として設定した広告データを前記使用者端末に転送することを特徴とする請求項１１に記載の広告方法。
【請求項１３】
前記(c)段階は、前記固有番号と連係して格納された使用者情報が存在しない場合に、前記広告サーバーは、前記使用者端末に使用者情報入力ページを転送し、前記使用者端末から使用者情報を受け取って前記固有番号と連係させて格納することを特徴とする請求項１２に記載の広告方法。
【請求項１４】
前記(b)段階において、前記使用者端末が、前記広告サーバーに接続できない場合に、
前記(d)段階において、前記使用者端末は、前記外部メモリ装置から基本広告データを受け取り、使用者に表示することを特徴とする請求項１１に記載の広告方法。
【請求項１５】
請求項１１から請求項１４のいずれか１項に記載の広告方法をコンピュータで読み取ることができ、実行可能なプログラムコードに記録した記録媒体。
【発明の詳細な説明】
【技術分野】
【０００１】
本発明は、広告方法及びシステムに関し、より具体的には、外部メモリ装置を用いた広告方法及びシステムに関する。
【背景技術】
【０００２】
情報通信技術の発展に伴い、広告方式も多様化してきている。商店に看板を設置したり、ビラ紙に商品を広告する従来の広告方式は、通信技術の発達に伴い、各種インターネットサイトに広告を申請して、該当インターネットサイトに接続する使用者端末にバナー広告又はポップアップ広告を表示したり、検索サイトに事前にキーワードを登録し、使用者が該当キーワードを検索すると、自身の広告を露出させる方式として変化した。
【０００３】
しかしながら、このようなインターネット広告方式は、広告主が事前に登録したバナー広告、ポップアップ広告、及びキーワードに限定されるので、柔軟な広告変更が難しいだけでなく、使用者に係るターゲット広告が難しいという問題点が存在する。
【０００４】
また、このようなインターネット広告方式は、インターネットが可能な環境でのみ広告が露出されるという限界が存在する。
【発明の開示】
【発明が解決しようとする課題】
【０００５】
本発明が解決しようとする課題は、インターネット接続が難しい環境でも、使用者に広告を露出させることのできる広告方法及びシステムを提供することにある。
【０００６】
また、本発明が解決しようとする他の課題は、使用者の性別、年齢、地域などのように、使用者別にターゲット広告が可能な広告方法及びシステムを提供することにある。
【課題を解決するための手段】
【０００７】
前述の課題を達成するための本発明の広告システムは、基本広告データを格納した外部メモリ装置と;外部メモリ装置が接続されると、広告データを読み出して使用者に出力する使用者端末と、を含む。
【０００８】
また、前述の広告システムは、広告データを格納する広告サーバーを更に含み、外部メモリ装置は、広告サーバーの接続情報を更に格納し、使用者端末は、外部メモリ装置が接続すれると、接続情報を外部メモリ装置から読み出して広告サーバーに接続して、広告サーバーから広告データを受け取り、使用者に表示することができる。
【０００９】
また、前述の外部メモリ装置は、固有番号を更に格納し、広告サーバーは、固有番号と連係して、固有番号に対応する外部メモリ装置を使用する使用者の使用者情報を格納することができる。
【００１０】
また、前述の使用者端末は、外部メモリ装置が接続されると、固有番号を読み出して広告サーバーに転送し、広告サーバーは、広告データを表示する使用者を規定したターゲット情報を広告主端末から受け取って広告データと連係させて格納し、固有番号を受け取ると、固有番号に連係して格納された使用者情報を読み出し、使用者を広告データを表示すべき対象使用者と規定したターゲット情報と連係して格納された広告データを使用者端末に転送して使用者に表示することができる。
【００１１】
また、前述の広告サーバーは、使用者端末に転送される広告データに対する統計情報を生成して、広告主端末に提供することができる。
【００１２】
また、前述の使用者端末は、外部メモリ装置が接続されると、広告サーバーの接続情報を用いて、広告サーバーに接続可能なのかどうかを調べ、広告サーバーに接続できない場合に、基本広告データを使用者に表示することができる。
【００１３】
一方、前述の課題を達成するための本発明の外部メモリ装置は、使用者端末が接続すべき広告サーバーの接続情報を格納するサーバー情報格納部と;広告サーバーに使用者情報と連係して格納された固有番号を格納する固有番号格納部と;使用者端末に接続されると、使用者端末が、接続情報を用いて広告サーバーに接続できるように、接続情報を使用者端末に出力し、広告サーバーが、固有番号と連係して格納された使用者情報を識別して、使用者を広告対象として設定した広告データを使用者端末に転送できるように、固有番号を使用者端末に転送するメモリ制御部と;使用者端末に設けられ、使用者端末が、接続情報に応じて広告サーバーに接続して、固有番号を広告サーバーに転送し、固有番号に連係して格納された使用者情報に応じて使用者を広告対象として設定した広告データを受け取り、使用者に表示するようにするプログラムを格納したプログラム格納部と、を含む。
【００１４】
また、前述の外部メモリ装置は、基本広告データを格納する広告データ格納部を更に含み、メモリ制御部は、使用者端末が、接続情報に応じて広告サーバーに接続できない場合に、基本広告データを出力できるように、基本広告データを使用者端末に転送することができる。
【００１５】
一方、前述の課題を達成するための本発明の広告サーバーは、外部メモリ装置の固有番号と外部メモリ装置の使用者の使用者情報とを互いに連係して格納した使用者情報ＤＢと;広告データと広告データを表示する広告対象使用者を規定したターゲット情報とを互いに連係させて格納した広告ＤＢと;外部メモリ装置が使用者端末に接続されると、使用者端末から外部メモリ装置の固有番号を受け取って外部メモリ装置の使用者情報を読み出し、広告データのうち、使用者を広告データを表示すべき広告対象使用者として設定した広告データを使用者端末に転送して表示する広告サーバー制御部と、を含む。
【００１６】
また、前述の広告サーバーは、広告データに対する統計情報を生成して、広告ＤＢに格納する統計情報生成部を更に含むことができる。
【００１７】
一方、前述の課題を達成するための本発明の広告方法は、(a)外部メモリ装置が接続されると、使用者端末が、外部メモリ装置から広告サーバーの接続情報を受け取る段階と;(b)使用者端末が、接続情報を用いて広告サーバーに接続する段階と;(c)広告サーバーが、広告データを使用者端末に転送する段階と;(d)使用者端末が、広告データを使用者に表示する段階と、を含む。
【００１８】
また、前述の(a)段階において、使用者端末は、外部メモリ装置の固有番号を接続情報と一緒に受け取り;前述の(b)段階において、使用者端末は、広告サーバーに接続して固有番号を広告サーバーに転送し;前述の(c)段階において、広告サーバーは、固有番号と連係して格納された外部メモリ装置の使用者情報を読み出し、使用者を広告対象として設定した広告データを使用者端末に転送することができる。
【００１９】
また、前述の(c)段階は、固有番号と連係して格納された使用者情報が存在しない場合に、前記広告サーバーは、使用者端末に使用者情報入力ページを転送し、使用者端末から使用者情報を受け取って固有番号と連係させて格納することができる。
【００２０】
また、前述の(b)段階において、使用者端末が、広告サーバーに接続できない場合に、前述の(d)段階において、使用者端末は、外部メモリ装置から基本広告データを受け取り、使用者に表示することができる。
【発明の効果】
【００２１】
本発明は、使用者らに広告及び販促手段として配布される外部メモリ装置に、基本広告データと広告サーバーの接続情報と固有番号とを格納する。本発明において、使用者が、外部メモリ装置をインターネット連結ができない使用者端末に接続させる場合は、基本広告データが使用者に表示され、インターネット連結ができない場合でも、使用者に常に広告を表示できるという効果がある。
【００２２】
また、本発明は、使用者が、外部メモリ装置をインターネット連結ができる使用者端末に接続させると、外部メモリ装置に格納された広告サーバーの接続情報を用いて、使用者端末が、広告サーバーに接続して広告サーバーに固有番号を転送し、広告サーバーは、固有番号と連係して格納された使用者の情報を照会して、使用者をターゲットとして設定した広告データを使用者端末に転送して使用者に表示することによって、広告主等の広告スケジュールにしたがって時間帯別、年令別、地域別、職業別、性別などによる適宜なターゲット広告ができるという効果がある。
【発明を実施するための最良の形態】
【００２３】
以下、添付の図面を参照して、本発明の望ましい実施形態を説明する。
【００２４】
図１は、本発明の望ましい実施形態に係る全広告システムの構成を示す図である。図１に示されたように、本発明の広告システムは、インターネットを介して連結される使用者端末１００と、広告サーバー３００と、広告主端末４００と、認証サーバー５００と、使用者端末１００に接続される外部メモリ装置２００と、を含んで構成される。
【００２５】
まず、外部メモリ装置２００は、内部に、使用者が自在にデータを記録し、削除できるデータ格納空間を含み、使用者によってデータの削除及び記録ができないように割り当てられた別途のサービスデータ格納空間に、本発明のサービスを駆動するために、使用者端末１００に設けられるプログラムと、本発明のサービスに用いられる広告サーバー３００の接続情報と、外部メモリ装置２００の固有番号と、広告サーバー３００に接続ができない場合に使用者に表示する基本広告データと、を格納する。
【００２６】
外部メモリ装置２００は、使用者端末１００に最初接続されると、使用者端末１００に本発明のサービスを駆動するプログラムを転送して、使用者端末１００が設置するようにし、プログラムが設置された後は、使用者端末１００に接続される都度、広告サーバー３００の接続情報及び外部メモリ装置２００の固有番号を使用者端末１００に転送する。
【００２７】
外部メモリ装置２００は、一般的に携帯が簡便なＵＳＢメモリ装置又はＳＤメモリカードなどにより具現されることができ、詳細な外部メモリ装置２００の機能については、図２から図４bを参照して後述する。
【００２８】
使用者端末１００は、外部メモリ装置２００が最初に接続されると、外部メモリ装置２００から受け取られたプログラムを内部に設置し、外部メモリ装置２００が接続される都度、外部メモリ装置２００から広告サーバー３００の接続情報と外部メモリ装置２００の固有番号を受け取り、広告サーバー３００の接続情報を用いて広告サーバー３００に接続して固有番号を転送する。
【００２９】
また、使用者端末１００は、使用者情報が登録されない場合に、広告サーバー３００から使用者情報登録ページを受け取って使用者に表示し、使用者から使用者の個人情報を入力され、広告サーバー３００に転送して使用者情報を登録し、使用者情報が登録された後は、使用者をターゲットとして設定した広告データを受け取り、使用者に表示する。
【００３０】
一方、広告サーバー３００は、内部に外部メモリ装置２００の固有番号と該当固有番号の外部メモリ装置２００を使用する使用者の個人情報とを格納し、広告主端末４００から受け取られた広告データを格納する。
【００３１】
また、広告サーバー３００は、使用者端末１００から受け取られた外部メモリ装置２００の固有番号を調べて、使用者の年齢、性別などの個人情報を把握し、該当使用者をターゲットとして設定した広告主の広告データを使用者端末１００に転送して表示し、使用者端末１００に表示された広告データの回数などをカウントして、広告露出回数などについての統計情報を生成する。
【００３２】
広告主端末４００は、広告サーバー３００に広告データ及び該当広告データを表示すべき使用者を指定したターゲット情報を転送する。また、広告サーバー３００から自身の広告が露出された回数などについての統計情報を受け取る。
【００３３】
認証サーバー５００は、使用者端末１００又は広告サーバー３００から受け取られた使用者の名前と住民登録番号とを用いて使用者を認証し、認証結果を使用者端末１００に転送する。
【００３４】
図２は、本発明の望ましい実施形態に係る外部メモリ装置２００と使用者端末１００の構成とを示す図である。図２を参照すれば、本発明の外部メモリ装置２００は、メモリ部２２０とメモリ制御部２４０とから構成され、メモリ部２２０は、データ格納部２２１と、広告データ格納部２２３と、サーバー情報格納部２２５と、固有番号格納部２２７と、プログラム格納部２２９と、を含んで構成される。ただし、メモリ部２２０に含まれる各格納部は、物理的に分割された構成でなく、概念的に分離された構成であることを注意すべきである。
【００３５】
まず、データ格納部２２１は、使用者情報が登録された後、使用者が、自在にデータを記録して削除できる空間であり、その他の格納部は、使用者が任意にデータを記録、又は、削除できないように保護されたデータ格納空間である。
【００３６】
広告データ格納部２２３は、使用者端末１００が、インターネット網を介して広告サーバー３００に接続できない状況で、使用者端末１００に表示すべき基本広告データを格納する。基本広告データは、外部メモリ装置２００の製造時、又は、配布前に記録されるデータであり、変更できないように具現されるか、あるいは、使用者が広告サーバー３００に接続する都度、自動に更新されるように具現されることができる。
【００３７】
サーバー情報格納部２２５は、広告サーバー３００に接続できる接続情報を格納する。広告サーバー３００の接続情報は、広告サーバー３００のＩＰドレスであっても良い。
【００３８】
固有番号格納部２２７は、外部メモリ装置２００に割り当てられた固有番号を格納し、プログラム格納部２２９は、使用者端末１００に設けられ、本発明のサービスを駆動するプログラムを格納する。
【００３９】
メモリ制御部２４０は、外部メモリ装置２００の全般的な機能を制御するが、具体的に、ＵＳＢメモリ又はＳＤメモリカードなどで行われる全般的な機能、例えば、データ記録及び削除機能を制御するだけでなく、外部メモリ装置２００が使用者端末１００に最初に接続されると、プログラム格納部２２９からプログラムを読み出し、使用者端末１００に転送して、プログラムを設置し、その以後に、外部メモリ装置２００が使用者端末１００に接続されると、サーバー情報格納部２２５と固有番号格納部２２７とからサーバー接続情報と固有番号とを各々読み出して、使用者端末１００に転送する。
【００４０】
一方、使用者端末１００は、ディスプレー部１２０と、オーディオ出力部１４０と、入力部１５０と、使用者端末制御部１１０と、通信部１３０(以下、第１の通信部と称する)と、を含んで構成される。ディスプレー部１２０は、ＣＲＴ、ＬＣＤのような一般的なディスプレイ装置で具現され、広告データを映像として表示する。
【００４１】
オーディオ出力部１４０は、広告データに含まれた音響データ又は音声データのようなオーディオデータを、スピーカー等を介して出力し、入力部１５０は、キーボード、マウス、スタイラスなどにより具現され、使用者情報を入力される。
【００４２】
第１の通信部１３０は、インターネット網を介して広告サーバー３００及び認証サーバー５００に接続して、通信を行う。
【００４３】
使用者端末制御部１１０は、外部メモリ装置２００から受け取られた広告サーバー３００の接続情報を用いて、第１の通信部１３０を介して広告サーバー３００に接続し、使用者情報入力ページ及び広告データを受信した後、ディスプレー部１２０に出力して使用者に表示し、入力部１５０を介して入力された使用者情報と外部メモリ装置２００から受け取られた固有番号とを広告サーバー３００に転送する。
【００４４】
図３は、本発明の望ましい実施形態に係る広告サーバー３００の構成を示すブロック図である。図３を参照すれば、広告サーバー３００は、通信部３１０と、広告サーバー制御部３２０と、統計情報生成部３５０と、使用者情報ＤＢ３３０と、広告ＤＢ３４０と、を含んで構成される。
【００４５】
通信部３１０(以下、第２の通信部と称する)は、インターネット網を介して複数の使用者端末１００及び広告主端末４００と通信を行う。
【００４６】
統計情報生成部３５０は、使用者端末１００に転送された広告データの露出回数などを調べて、各広告主別、各広告データ別の統計情報を生成して、広告ＤＢ３４０に格納する。図５は、本発明の望ましい実施形態に従って、統計情報生成部３５０で生成された統計情報の一例を示す図である。
【００４７】
図５に示されたように、使用者が、外部メモリ装置２００を使用者端末１００に接続し、使用者端末１００に広告が表示される都度、該当広告の露出回数が記録され、広告主は、使用者別広告露出内訳を分析することができ、反復露出効果を直接確認することができる。
使用者情報ＤＢ３３０は、本発明のサービスに利用可能な外部メモリ装置２００等の固有番号と、これを用いる使用者の個人情報(例えば、名前、性別、年齢、住所(地域)等)と、を互いに連係して格納する。
【００４８】
広告ＤＢ３４０は、各広告主の広告主情報(広告主の識別情報(広告主コード)、広告主の名称、住所情報等)と該当広告主の広告データ情報及び該当広告データに対する統計情報などを格納する。
【００４９】
使用者情報ＤＢ３３０に格納されるデータ構造及び広告ＤＢ３４０に格納されるデータ構造の一例を図３に示したが、示された例以外の様々な構造で使用者情報及び広告データを格納できることを注意すべきである。
【００５０】
一方、広告サーバー制御部３２０は、第２の通信部３１０を介して使用者端末１００から受け取られる固有番号を使用者情報ＤＢ３３０に照会して、現在外部メモリ装置２００を用いる使用者の使用者情報が登録されているかどうかを調べ、登録されていない場合は、使用者情報入力ウェブページを使用者端末１００に転送し、使用者端末１００から使用者情報を受け取り、使用者情報ＤＢ３３０に固有番号と互いに連係させて格納する。
【００５１】
また、広告サーバー制御部３２０は、広告主端末４００から受け取られた広告データを、該当広告データを転送すべきターゲット情報と一緒に広告ＤＢ３４０に格納し、使用者端末１００から固有番号が受け取られると、使用者情報ＤＢ３３０を照会して、該当固有番号と連係して格納された使用者情報を読み出し、該当使用者をターゲットとして指定した広告主の広告データを広告ＤＢ３４０から読み出し、使用者端末１００に転送して表示する。
【００５２】
これまで、本発明の望ましい実施形態に係る広告システムの構成を説明した。以下では、図４ａ及び図４ｂを参照して、本発明の望ましい実施形態に係る広告方法を説明する。
【００５３】
まず、広告サーバー３００は、広告主端末４００から広告データと広告データとを表示する使用者の年齢、性別、地域などを規定するターゲット情報を受け取り、広告ＤＢ３４０に格納する(Ｓ４００)。第Ｓ４００段階は、以後で説明する過程が行われる間にも持続的に行われることを注意すべきである。
【００５４】
一方、使用者が、外部メモリ装置２００を使用者端末１００に接続させると、外部メモリ装置２００は、使用者端末１００に、本発明のサービスを実行するプログラムが設置されているかどうかを調べ(Ｓ４１０)、使用者端末１００にプログラムが設置されていない場合は、内部に格納されたプログラムを読み出して、使用者端末１００に転送し(Ｓ４１４)、プログラムを受け取った使用者端末１００は、これを内部に設置する(Ｓ４１８)。
【００５５】
一方、第Ｓ４１０段階において、プログラムが既に使用者端末１００に設置された場合に、外部メモリ装置２００は、内部に格納された広告サーバー３００の接続情報と固有番号とを読み出して、使用者端末１００に転送し(Ｓ４２０)、使用者端末１００は、現在インターネットを介して広告サーバー３００に接続可能なのかどうかを調べ(Ｓ４３０)、広告サーバー３００に接続できない場合は、外部メモリから基本広告データを読み出し(Ｓ４３２)、読み出された広告データを使用者に表示する(Ｓ４８０)。
【００５６】
広告サーバー３００に接続できない場合とは、使用者端末１００がインターネット網に接続されていない場合と、使用者端末１００がインターネット網に接続されてはいるが、広告サーバー３００に問題が発生して、接続できない場合などを意味する。
【００５７】
第Ｓ４３０段階において、インターネット網を介して広告サーバー３００に接続できる場合に、使用者端末１００は、広告サーバー３００に接続して、広告サーバー３００に外部メモリ装置２００の固有番号を転送し(Ｓ４３４)、固有番号を受信した広告サーバー３００は、使用者情報ＤＢ３３０に照会して、固有番号と連係して登録された使用者情報が存在するか調べ、登録されていない場合は、第Ｓ４４０段階に進んで、登録された場合は、第Ｓ４７０段階に進む(Ｓ４３６)。
【００５８】
第Ｓ４３６段階において、使用者情報が登録されていない場合は、外部メモリ装置２００が最初に用いられるケースに該当されるので、広告サーバー３００は、使用者情報登録ページを使用者端末１００に転送し(Ｓ４４０)、使用者端末１００は、これを使用者に表示して、使用者から使用者の名前、住民登録番号、住所、年齢のような個人情報を入力される(Ｓ４４２)。
【００５９】
その後、使用者端末１００は、使用者が入力した名前と住民登録番号とを認証サーバー５００に転送して実名であるかどうかを確認し(Ｓ４５０)、実名でない場合は、使用者登録要請メッセージを使用者に表示し、外部メモリ装置２００の使用を終了するか、前述の第Ｓ４４２段階に再び進む(Ｓ４５２)。
【００６０】
使用者の実名が認証された場合に、使用者端末１００は、使用者が入力した使用者情報を広告サーバー３００に転送し(Ｓ４６０)、広告サーバー３００は、受け取られた使用者情報を固有番号と連係して使用者情報ＤＢ３３０に登録する(Ｓ４６２)。
【００６１】
一方、第Ｓ４６２段階において、使用者情報が新規に登録された場合、又は、前述の第Ｓ４３６段階において、使用者情報が既に登録されている場合に、広告サーバー３００は、使用者情報ＤＢ３３０から使用者情報を読み出し、広告ＤＢ３４０に広告データと連係して格納されたターゲット情報を調べて、該当使用者をターゲットとして設定した広告データを読み出して、使用者端末１００に転送する(Ｓ４７０)。
【００６２】
使用者端末１００は、広告サーバー３００から広告データを受け取ると、図６に示されたように、様々な形式により使用者に広告データを表示する(Ｓ４８０)。図６には、内部に該当広告社のホームページリンクを含むポップアップウィンドウ形式で広告データが表示される例を示した。この他にも、様々な形式で広告データが表示できることは、言うまでもない。
【００６３】
本発明は、更に、コンピュータで読み取れる記録媒体にコンピュータが読み取れるコードとして具現することが可能である。コンピュータが読み取れる記録媒体は、コンピュータシステムによって読み取られ得るデータが格納される全ての種類の記録装置を含む。コンピュータが読み取れる記録媒体の例としては、ＲＯＭ、ＲＡＭ、ＣＤ-ＲＯＭ、磁気テープ、フロッピディスク、光データ格納装置などがあり、また、キャリアウェーブ(例えば、インターネットを通じた転送)の形態で具現されることも含む。また、コンピュータが読み取れる記録媒体は、ネットワークに連結されたコンピュータシステムに分散され、分散方式によりコンピュータが読み取れるコードが格納され、実行されることができる。
【００６４】
これまで、本発明についてその望ましい実施形態を中心として考察してみた。本発明が属する技術分野において通常の知識を有する者は、本発明が、本発明の本質的な特性から逸脱しない範囲で変形された形態で具現され得ることを理解できるであろう。したがって、開示された実施形態は、限定的な観点でなく、説明的な観点で考慮されるべきである。本発明の範囲は、前述した説明でなく、特許請求範囲に現れており、それと同等な範囲内にある全ての差異点は、本発明に含まれたものと解析されるべきであろう。
【図面の簡単な説明】
【００６５】
【図１】本発明の望ましい実施形態に係る全広告システムの構成を示す図である。
【図２】本発明の望ましい実施形態に係る外部メモリ装置と使用者端末との構成を示す図である。
【図３】本発明の望ましい実施形態に係る広告サーバー３００の構成を示すブロック図である。
【図４ａ】本発明の望ましい実施形態に係る広告方法を説明するフローチャート１である。
【図４ｂ】本発明の望ましい実施形態に係る広告方法を説明するフローチャート２である。
【図５】本発明の望ましい実施形態に従って、広告サーバーの統計情報生成部で生成された統計情報の一例を示す図である。
【図６】図６は、本発明の望ましい実施形態に従って、使用者に表示される広告の一例を示す図である。
【符号の説明】
【００６６】
１００：端末
１１０：使用者端末制御部
１２０：ディスプレイ部
１３０：第１の通信部
１４０：オーディオ出力部
１５０：入力部
２００：外部メモリ装置
３００：広告サーバー
３１０：通信部
３３０：広告サーバー
３４０：広告ＤＢ
３５０：統計情報生成部
４００：広告主端末
５００：認証サーバー
【図１】
2009193565.tif 000003
【図２】
2009193565.tif 000004
【図３】
2009193565.tif 000005
【図４ａ】
2009193565.tif 000006
【図４ｂ】
2009193565.tif 000007
【図５】
2009193565.tif 000008
【図６】
2009193565.tif 000009